(57)【特許請求の範囲】
【請求項１】
平面上に複数の平行な溝を形成した直角四辺形の金属基板と、前記各溝に一側縁が嵌合固定されて植設される金属板よりなる複数の放熱フィンと、この放熱フィンの他側縁が嵌合される複数の平行な溝が内側の平面に形成された金属製の横断面門型のカバー部材とよりなり、
前記金属基板の平面上に植設された複数の放熱フィンの他側縁が嵌合されて覆われた前記カバー部材の両側片の先端部が、前記金属基板の両端面に係合されるように、組み立て構成したことを特徴とする電子部品の放熱器。
【請求項２】
前記カバー部材が、前記複数の放熱フィンの他側縁の全部を覆うように組み立て構成されたことを特徴とする請求項１に記載の電子部品の放熱器。
【請求項３】
前記カバー部材が、前記前記複数の放熱フィンの他側縁の一部を覆うように組み立て構成されたことを特徴とする請求項１に記載の電子部品の放熱器。
【発明の詳細な説明】
【０００１】
【発明の属する技術分野】
本発明は、たとえばトランジスタやＩＣやＬＳＩやダイオードやサイリスタなどの発熱を伴う電子部品を取り付け、これらの電子部品で発生する熱を伝導伝熱させ、放熱フィンから放熱させるようにした電子部品の放熱器に関するものである。
【０００２】
【従来の技術】
図３は従来の電子部品の放熱器の組み立て途中の斜視図であり、直角四辺形のアルミニウムなどの金属基板１０の平面上に形成した複数の平行な溝１０ａに、アルミニウムなどの金属板よりなる複数の放熱フィン１１の一側縁１１ａが嵌合固定され、この放熱フィン１１の他側縁１１ｂがアルミニウムなどのカバー部材１２の内側の平面上に形成した複数の平行な溝１２ａに嵌合され、前記金属基板１０の両端面１０ｂとカバー部材１２の両端面１２ｂに、アルミニウムなどの金属側板１３，１３を螺子１４で固定して電子部品の放熱器を組み立てたものである。
なお、電子部品（図示しない）は前記金属基板１０の外面１０ｃまたはカバー部材１２の外面１２ｃに取り付ける。
【０００３】
【発明が解決しようとする課題】
前記のような従来の電子部品の放熱器においては、その放熱器の構成部材が多く、また、前記金属基板１０の両端面１０ｂとカバー部材１２の両端面１２ｂに金属側板１３，１３を螺子１４で固定しなければならないので、電子部品の放熱器の組み立てが面倒で、製造コストが高くなる問題があった。
本発明は、構成部材が少なく、組み立てが簡単で、製造コストを安くすることができる電子部品の放熱器を提供することを目的としたものである。
【０００４】
【課題を解決するための手段】
前記目的を達成するために、請求項１に係る発明は、平面上に複数の平行な溝１ａを形成した直角四辺形の金属基板１と、前記各溝１ａに一側縁２ａが嵌合固定されて植設される金属板よりなる複数の放熱フィン２と、この放熱フィン２の他側縁２ｂが嵌合される複数の平行な溝３ａが内側の平面に形成された金属製の横断面門型のカバー部材３とよりなり、前記金属基板１の平面上に植設された複数の放熱フィン２の他側縁２ｂが嵌合されて覆われた前記カバー部材３の両側片３ｂの先端部３ｂ′が、前記金属基板の両端面１ｂに係合されるように、組み立て構成したことを特徴とする電子部品の放熱器としたものである。
【０００５】
また、請求項２に係る発明は、前記カバー部材３が、前記複数の放熱フィン２の他側縁２ｂの全部を覆うように組み立て構成されたことを特徴とする請求項１に記載の電子部品の放熱器としたものである。
【０００６】
また、請求項３に係る発明は、前記カバー部材３が、前記複数の放熱フィン２の他側縁２ｂの一部を覆うように組み立て構成されたことを特徴とする請求項１に記載の電子部品の放熱器としたものである。
【０００７】
前記請求項１乃至請求項３に係る発明の電子部品の放熱器のように構成したことにより、その構成部材が少なく、組み立てが簡単になるので、製造コストが安くなる。
【０００８】
【発明の実施の形態】
以下、本発明に係る電子部品の放熱器の各実施の形態について図面を参照しながら詳細に説明する。図１は本発明の電子部品の放熱器の第一の実施の形態を示す斜視図で、図２は同第二の実施の形態を示す斜視図である。
【０００９】
本発明の電子部品の放熱器の第一の実施の形態は、図１に示すように、平面上に複数の平行な溝１ａを形成した直角四辺形のアルミニウムなどの金属基板１と、前記各溝１ａに一側縁２ａが嵌合固定されて植設されるアルミニウムなどの金属板よりなる複数の放熱フィン２と、この放熱フィン２の他側縁２ｂが嵌合される複数の平行な溝３ａが内側の平面に形成されたアルミニウムなどの金属製の横断面門型のカバー部材３とよりなる。
そして、前記金属基板１の平面上に形成した複数の平行な溝１ａに、前記複数の放熱フィン２の一側縁２ａが嵌合固定されて植設される。さらに、前記植設された複数の放熱フィン２の他側縁２ｂに、前記カバー部材３の内側の平面に形成した複数の平行な溝３ａを嵌合して、前記放熱フィン２の他側縁２ｂを全部覆うとともに、前記カバー部材３の両側片３ｂの先端部３ｂ′が、前記金属基板１の両端面１ｂに係合されるように組み立てて電子部品の放熱器を構成したものである。
【００１０】
また、本発明の電子部品の放熱器の第二の実施の形態は、図２に示すように、前記金属基板１の平面上に植設された複数の放熱フィン２の他側縁２ｂに、前記カバー部材３の内側の平面に形成した複数の平行な溝３ａを嵌合して、前記複数の放熱フィン２の他側縁２ｂの一部を覆うように、すなわち、複数の放熱フィン２の列に沿う両側部を覆うように組み立てて電子部品の放熱器を構成したものである。
【００１１】
なお、前記放熱フィン２の一側縁２ａを、前記金属基板１の平面上の平行な溝１ａに嵌合固定するには、前記一側縁２ａが容易に上方から嵌合し得るように前記溝１ａを形成し、各溝１ａに各放熱フィン２の一側縁２ａを嵌合した後に、前記溝１ａ間を押圧工具で押圧することによって嵌合固定することができ、また、前記金属基板１の平面上の溝１ａに放熱フィン２の一側縁２ａを嵌合固定する他の実施の形態として、前記溝１ａに放熱フィン２の一側縁２ａを接着剤または“ろう”を介して嵌合して、接着または“ろう”付けして固定することもできる。
また、前記横断面門型のカバー部材３の内側の平面に形成する溝３ａは、前記金属基板１の平面上に植設された複数の放熱フィン２の他側縁２ｂに嵌合させ易いように、この実施の形態においては、半円状に形成されている。
また、前記カバー部材３の両側片３ｂの先端部３ｂ′が、前記金属基板１の両端面１ｂに係合される実施の形態として、図１および図２に示すように、前記先端部３ｂ′を凸状に形成し、前記金属基板１の両端面１ｂに前記先端部３ｂ′が嵌合する凹部を形成し、前記金属基板１の平面上に植設した複数の放熱フィン２の他側縁２ｂに、前記カバー部材３の内側の平面に形成した溝３ａを嵌合させるとともに、前記両側片３ｂがたわみながらその先端部３ｂ′を前記金属基板１の両端面１ｂの凹部に嵌合（係合）させるようにしたが、これに限らず、これと逆にしてもよい。
また、電子部品（図示しない）は前記金属基板１の外面１ｃに取り付ける。
【００１２】
請求項１乃至請求項３に係る発明のように構成することによって、その構成部材は前記金属基板１と放熱フィン２と横断面門型のカバー部材３の３点であり、前記金属基板１の平面上に形成した複数の平行な溝１ａに、複数の放熱フィン２の一側縁２ａを嵌合固定して植設し、その複数の放熱フィン２の他側縁２ｂに、前記カバー部材３の内側の平面に形成した溝３ａを嵌合させるとともに、前記カバー部材３の両側片３ｂの先端部３ｂ′を、前記金属基板１の両端面１ｂに係合させるだけで、電子部品の放熱器を組み立てることができるので、製造コストが安くなる。
【００１３】
【発明の効果】
請求項１乃至請求項３に係る発明のように電子部品の放熱器を構成することによって、その構成部材は前記金属基板と放熱フィンと横断面門型のカバー部材の３点であり、前記放熱フィンの一側縁が前記金属基板の平面上に形成した複数の平行な溝に嵌合固定されて植設され、前記放熱フィンの他側縁が金属製の横断面門型のカバー部材の内側の溝に嵌合されるとともに、そのカバー部材の両側片の先端部を、前記金属基板の両端面に係合させることによって、簡単に電子部品の放熱器を組み立てることができる。
【図面の簡単な説明】
【図１】請求項２に係る発明の電子部品の放熱器の実施の形態を示す斜視図である。
【図２】請求項３に係る発明の電子部品の放熱器の実施の形態を示す斜視図である。
【図３】従来の電子部品の放熱器の組み立て途中の斜視図である。
【符号の説明】
１      金属基板
１ａ    溝
１ｂ    両端面
１ｃ    外面
２      放熱フィン
２ａ    一側縁
２ｂ    他側縁
３      横断面門型のカバー部材
３ａ    溝
３ｂ    両側片
３ｂ′  先端部
【図１】
0004149100.tif 000002
【図２】
0004149100.tif 000003
【図３】
0004149100.tif 000004